(57)【要約】【課題】  本発明は、端末器が監視動作を開始できない場合に、予め設定した通報先に通報する監視システムを提供する。【解決手段】  中央処理装置１０の情報通信手段１７から端末器に監視動作開始信号を送信し、端末器は監視動作開始信号に対する応答信号を送信することで、中央処理装置１０は、端末器が監視動作を開始できたか否かを判断することができ、通報部１８を介して予め操作部２０で設定した通報先に、監視動作が開始できなかった端末器を通報することができる。【選択図】  図２
2005084966.tif 000002
【特許請求の範囲】
【請求項１】
定常または非定常の状態を監視する複数の端末器と、前記端末器と通信可能な中央処理装置とを有し、前記端末器と、前記中央処理装置にはそれぞれ前記定常状態または前記非定常状態に関する情報と前記中央処理装置からの監視動作開始信号と前記監視動作開始信号に対する応答信号の送信または受信を行う情報通信手段を有し、前記中央処理装置は、前記端末器へ監視動作開始信号の送信と、前記監視動作開始信号に対する前記端末器からの応答信号を受信するとともに、前記応答信号を受信できない場合に、予め設定された通報先へ通報を行う監視システム。
【請求項２】
中央処理装置は、応答信号を受信できない場合に、通信回線を介して電話により通報先に通報する請求項１記載の監視システム。
【請求項３】
電話により通報する内容は、少なくとも１つの監視動作を開始できない端末器の設置場所情報と端末器名称を含む音声データを用いる請求項１または２記載の監視システム。
【請求項４】
中央処理装置は、応答信号を受信できない場合に、通信回線を介して電子メールにより通報先に通報する請求項１〜３のいずれか１項記載の監視システム。
【請求項５】
電子メールにより通報する内容は、少なくとも１つの監視動作を開始できない端末器の設置場所情報と端末器名称を含むデータを用いる請求項１〜４のいずれか１項記載の監視システム。
【請求項６】
請求項１〜５のいずれか記載の監視システムにて少なくとも一つの手段をコンピュータに実行させるためのプログラム。
【発明の詳細な説明】
【技術分野】
【０００１】
本発明は、防犯用の監視システムに関するものである。
【背景技術】
【０００２】
従来この種の監視システムは、通信エラーが起こった端末器を特定させたり、表示させたりしている（例えば、特許文献１参照）。
【０００３】
図４は、従来の監視システムを示すものである。図４に示すように、監視センタ１と、端末装置２と、交換網３と、データ処理部４と、記録部５と、表示部７から構成されており、監視センタ１と複数の端末装置２とを交換網３を介して接続し、監視センタ１は、端末装置対応に、定時通報，通信エラ−履歴等の端末装置情報を記録する記録部５と、通信エラ−検出時に記録部５を参照して通信エラ−の発生端末装置を表示する。
【特許文献１】特開平１０−９１８８６号公報
【発明の開示】
【発明が解決しようとする課題】
【０００４】
しかしながら、前記従来の構成では、通信エラーが起こった場合でも通信エラーの起こった端末器（端末装置）を中央処理装置に表示したりするだけであり、使用者が中央処理装置を確認しないと端末器の通信エラーを認識できなかった。また、通信エラーを特定するのに端末器からの定期的な信号の発呼がなかった場合に通信エラーが起こっていると特定したりするために時間がかかり、使用者が監視動作を開始させて外出した場合、通信エラーが起こっていたとわかるのが、帰宅してからになってしまうという課題を有していた。
【０００５】
本発明は、前記従来の課題を解決するもので、監視動作を開始する際に端末器からの応答信号の有無により通信エラーを特定し、通信エラーがあった場合には、通報先に通報して通信エラーが起こっていることを外出している使用者に知らせることを可能とした監視システムを提供することを目的とする。
【課題を解決するための手段】
【０００６】
前記従来の課題を解決するために、本発明の監視システムは、中央処理装置から端末器に対して監視動作開始信号を送信し、端末器は監視動作開始信号に対する応答信号を中央処理装置に送信することで、中央処理装置はその応答信号を受信できない場合に、通信エラーが起こっていると特定でき、予め設定された通報先へ通報を行うようにすることで、使用者が外出した後で通信エラーが起こった場合でも使用者は通信エラーを外出先で知ることが可能となる。
【発明の効果】
【０００７】
本発明の監視システムは、監視動作を開始できない端末器があった場合には、通報先（たとえば使用者が携帯する電話）に通報して気づかせることができ、使用者の安心感が向上する。
【発明を実施するための最良の形態】
【０００８】
第１の発明は、中央処理装置と複数の端末器が、それぞれ定常状態または非定常状態に関する情報と中央処理装置からの監視動作開始信号と前記監視動作開始信号に対する応答信号の送信または受信を行う情報通信手段を有することで、中央処理装置は、複数の端末器へ監視動作開始信号の送信し、監視動作開始信号に対する前記端末器からの応答信号を受信することで、中央処理装置は、監視動作を開始できなかった端末器を認識することができ、更に予め設定された通報先（たとえば使用者が携帯する電話）へ通報を行うことにより、使用者に端末器の不具合を気づかせることができ、安心感が向上する。
【０００９】
第２の発明は、特に、第１の発明の通報方法として、通信回線を介して電話により通報先に通報する構成とすることにより、万一、端末器の不具合などに気づかず、監視動作を開始させて外出しても、電話回線を介して使用者の携帯電話や出先の固定電話などに通報することができ、安心感が向上する。
【００１０】
第３の発明は、特に、第１または第２の発明の通報内容として、監視動作を開始できない端末器の設置場所情報と端末器名称を含む音声データで知らせることにより、使用者は監視動作を開始できない端末器の設置場所や種類を認識でき、一旦戻って端末器の不具合を解消するか否かの判断ができ、利便性が向上する。
【００１１】
第４の発明は、特に、第１〜３のいずれか１つの発明の通報方法として、インターネット等通信回線を介して電子メールにより通報先に通報する構成とすることにより、万一、端末器の不具合などに気づかず、監視動作を開始させて外出しても、電子メールにより電子メール受信可能な携帯電話や出先のパソコンなどに通報することができ、安心感が向上する。
【００１２】
第５の発明は、特に、第１〜４のいずれか１つの発明の通報内容として、監視動作を開始できない端末器の設置場所情報と端末器名称を含むデータで知らせることにより、使用者は監視動作を開始できない端末器の設置場所や種類を認識でき、一旦戻って端末器の不具合を解消するか否かの判断でき、利便性が向上する。
【００１３】
第６の発明は、特に、第１〜５のいずれか１つの発明の監視システムをコンピュータに実行させるためのプログラムである。プログラムであるのでマイコンや汎用パソコンなどを用いて本発明の監視システムの一部あるいは全てを容易に実現することができる。また記録媒体に記録したり通信回線を用いてプログラムを配信したりすることでプログラムの配布が簡単にできる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における監視システムのシステムブロック図を示すものである。
【００１６】
１０は中央処理装置、１１と１２は端末器である。中央処理装置１０と端末器１１と１２の間は、無線による通信手段によって通信が行われる。中央処理装置１０は公衆回線１３を介して予め登録された通信装置１４、１５に通報することができる。通信装置１４と１５は、それぞれ、例えば、通信装置１４は所有者の出先（例えば、会社等）の固定電話機であり、通信装置１５は前記所有者の携帯電話機である。
【００１７】
図２は中央処理装置１０のブロック図である。１６は中央処理装置１０の制御部である。１７は情報通信手段であり、定常または非定常状態に関する情報および監視動作開始信号の送信、監視動作開始信号に対する応答信号の受信を行う。１８は通報部であり、電話回線に接続する。１９は音声データ記憶部であり、通報する内容である監視動作を開始できなかった端末器の端末器名称や設置場所情報の音声データを記憶しておく。２０は操作部であり、監視動作の開始や通報先の設定を行う。
【００１８】
図３は端末器１１または１２のブロック図である。２１は侵入検知部で、本実施の形態１ではリードスイッチを設けている。この端末器を窓やドアの枠に取り付け、可動部である窓ガラスやドア開閉部にこのリードスイッチと対応して開閉させるための磁石を取り付けることにより、窓やドアの開閉を検知することができる。２２は情報通信手段で、中央処理装置１０に定常または非定常状態に関する情報を送信する。また、情報通信手段２２は、中央処理装置１０からの監視動作開始信号の受信を行い、監視動作開始信号に対する応答信号を中央処理装置１０に送信する。２３は端末制御部で、侵入検知部２１からの非定常信号、すなわち侵入が発生したという情報を、中央処理装置１０に対して自らの端末器コードと共に、情報通信手段２２を用いて無線によって送信するものである。
【００１９】
以上のように構成された監視システムについて、以下その動作、作用を説明する。
【００２０】
まず、中央処理装置１０の操作部２０で監視動作を開始させると、中央処理装置１０は、情報通信手段１７より監視動作開始信号を端末器１１、１２に送信する。この時、端末器１２が電池切れによって動作が停止していたとする。端末器１１は情報通信手段２２で開始動作開始信号に対する応答信号を中央処理装置１０に送信することができるが、端末器１２は応答信号を送信することができないため、中央処理装置１０は端末器１２が何らかの不具合により、監視動作を開始できないと判断し、中央処理装置１０に通信エラーの表示を行い、且つ操作部２０であらかじめ設定されている通報先に通報部１８を介して通報を行う。この時通報先が通信装置１５の使用者の携帯電話機に設定されていたとすると、監視動作が開始できない端末器の名称と設置場所情報を使用者の携帯電話機で聞くことが可能となる。また、通信装置１５の携帯電話機で使用者がでられらない場合には、次の通報先にかけることもできる。例えば通信装置１４の固定電話機に設定しておくことも可能である。
【００２１】
また、インターネットを介して電子メールにより通報先に通報する構成としてもよく、万一、監視解除状態のままで外出しても、電子メールにより電子メール受信可能な携帯電話や出先のパソコンなどに通報することもできる。
【００２２】
以上のように本実施の形態においては、使用者が中央処理装置あるいは、リモコンなどで監視動作を開始させ外出した場合に、端末器の電池切れや電波状況が悪かったことで、監視動作が開始できなかった時も使用者の所有する携帯電話機や電子メールで通報することにより、安心して監視システムを使用することができる。また、どの端末器が監視動作を開始できなかったかを知ることもできるため、重要な場所、例えば玄関などの侵入が多い場所に設置してある端末器の場合は、帰宅して端末器を直したりすることもできる。また、帰宅して端末器を直すほどではないような場所に設置してある場合には、そのまま他の端末器だけを監視動作を行っておけばよいため、利便性も向上する。
【００２３】
尚、実施の形態１では、端末器１１、端末器１２の侵入検知部２１にリードスイッチを設けているため、窓やドアが開閉された時に侵入者が発生したという非定常信号を送信しているが、侵入検知部２１が焦電センサで人体を検知した場合に非定常信号すなわち侵入者が発生したという非定常信号を送信しても同様の効果を有するものである。
【００２４】
また、実施の形態１では通信媒体として無線を用いているが、専用線による有線通信、電灯線搬送通信、赤外線通信、光ファイバ通信など、いずれも通信媒体を用いても同様の効果を有するものである。
【００２５】
また、本発明は、実施例１の監視システムの少なくとも一つの手段をコンピュータに実行させるためのプログラムを提供するものであり、プログラムであるのでマイコンや汎用パソコンなどを用いて本発明の監視システムの一部あるいは全てを容易に実現することができる。また記録媒体に記録したり通信回線を用いてプログラムを配信したりすることでプログラムの配布が簡単にできる。
【産業上の利用可能性】
【００２６】
以上のように、本発明にかかる監視システムは、監視動作を開始できない端末器があった場合には、通報先に通報して気づかせることが可能となるので、家電製品、例えばエアコンの電源の切り忘れやTVの消し忘れ等の用途にも適用できる。
【図面の簡単な説明】
【００２７】
【図１】本発明の実施の形態１におけるシステムブロック図
【図２】本発明の実施の形態１における中央処理装置の内部ブロック図
【図３】本発明の実施の形態１における端末器の内部ブロック図
【図４】従来の監視システムのブロック図
【符号の説明】
【００２８】
１０  中央処理装置
１１、１２  端末器
１３  公衆回線（通信回線）
１４  固定電話機（通信装置）
１５  携帯電話機（通信装置）
１６  制御部
１７、２２  情報通信手段
１８  通報部
１９  音声データ記憶部
２０  操作部
２１  侵入検知部
２３  端末制御部
【図１】
2005084966.tif 000003
【図２】
2005084966.tif 000004
【図３】
2005084966.tif 000005
【図４】
2005084966.tif 000006